(57)【特許請求の範囲】
【請求項１】
特定のグループに属する複数のユーザのうちいずれかのユーザに対応する端末から投稿されたメッセージを表示した画面を生成して提供するコンピュータに、
ユーザ識別情報に対応付けて、服用された特定の薬剤の情報を記憶部に記憶し、
投稿されたメッセージの投稿元を示す識別情報が、前記記憶部に記憶された前記ユーザ識別情報に対応することを検出し、かつ、投稿された前記メッセージに所定のキーワードが含まれることを検出すると、前記特定の薬剤に関する所定のメッセージを前記複数のユーザに対応するそれぞれの端末にて表示可能な状態で投稿する、
処理を実行させることを特徴とするメッセージ表示プログラム。
【請求項２】
前記所定のキーワードは、前記特定の薬剤が処方されるべき症状を示すことを特徴とする請求項１に記載のメッセージ表示プログラム。
【請求項３】
前記所定のメッセージは、前記特定の薬剤を過去に服用した履歴がある旨を示す情報であることを特徴とする請求項１または２に記載のメッセージ表示プログラム。
【請求項４】
前記所定のメッセージは、前記特定の薬剤を処方した病院の名称を含むことを特徴とする請求項１〜３のいずれか一つに記載のメッセージ表示プログラム。
【請求項５】
前記投稿する処理は、前記ユーザ識別情報により識別されるユーザが前記特定の薬剤を服用した服用日が、前記メッセージの投稿日から所定の期間内であること、および／または、前記ユーザ識別情報により識別されるユーザが前記特定の薬剤を服用した服用日と、前記メッセージの投稿日とが、同一の時期にあることを、さらに検出すると、前記所定のメッセージを投稿する、
ことを特徴とする請求項１〜４のいずれか一つに記載のメッセージ表示プログラム。
【請求項６】
特定のグループに属する複数のユーザのうちいずれかのユーザに対応する端末から投稿されたメッセージを表示した画面を生成して提供するコンピュータが、
ユーザ識別情報に対応付けて、服用された特定の薬剤の情報を記憶部に記憶し、
投稿されたメッセージの投稿元を示す識別情報が、前記記憶部に記憶された前記ユーザ識別情報に対応することを検出し、かつ、投稿された前記メッセージに所定のキーワードが含まれることを検出すると、前記特定の薬剤に関する所定のメッセージを前記複数のユーザに対応するそれぞれの端末にて表示可能な状態で投稿する、
処理を実行することを特徴とするメッセージ表示方法。
【請求項７】
特定のグループに属する複数のユーザのうちいずれかのユーザに対応する端末から投稿されたメッセージを表示した画面を生成して提供する情報処理装置において、
ユーザ識別情報に対応付けて、服用された特定の薬剤の情報を記憶部に記憶し、
投稿されたメッセージの投稿元を示す識別情報が、前記記憶部に記憶された前記ユーザ識別情報に対応することを検出し、かつ、投稿された前記メッセージに所定のキーワードが含まれることを検出すると、前記特定の薬剤に関する所定のメッセージを前記複数のユーザに対応するそれぞれの端末にて表示可能な状態で投稿する、
制御部を有することを特徴とする情報処理装置。
【発明の詳細な説明】
【技術分野】
【０００１】
本発明は、メッセージ表示プログラム、メッセージ表示方法、および情報処理装置に関する。
【背景技術】
【０００２】
近年、第３者への公開を前提としないクローズドＳＮＳ（Ｓｏｃｉａｌ  Ｎｅｔｗｏｒｋｉｎｇ  Ｓｅｒｖｉｃｅ）と呼ばれるサービスがある。クローズドＳＮＳでは、家族や友人などの限られたメンバーだけでコミュニケーションをとることができる。例えば、家族向けのクローズドＳＮＳでは、家族同士で近況を話し合って、お互いを気づかうことができる一方で、会話の内容が第３者に漏れて悪用されるのを防ぐことができる。
【０００３】
先行技術としては、例えば、ユーザからの要請に応答して、薬名、期間または症状に基づく既服用薬の薬名情報をユーザに配信する技術がある。また、ＷＥＢ文章から医療に関するパッセージを抽出し、抽出されたパッセージを元にして、処理対象病名と関連する新項目を抽出する技術がある。また、利用者端末を介して、利用者に関する個体診断情報を受け付け、個体診断情報に対応する医薬品情報を、データベースから抽出して利用者端末に表示する技術がある。
【先行技術文献】
【特許文献】
【０００４】
【特許文献１】特開２００３−８５２８２号公報
【特許文献２】特開２００８−８３９２７号公報
【特許文献３】特開２０１０−６１２４７号公報
【発明の概要】
【発明が解決しようとする課題】
【０００５】
しかしながら、従来技術では、クローズドＳＮＳなどのサービスにおいて、メンバーが体の不調などを訴えても、対処方法を提案することが難しい場合がある。例えば、メンバーが風邪の症状を訴えて、その人が過去に同じ症状であったことがあっても、どのような対処をしたか、本人を含むメンバーの全員が覚えていない場合がある。
【０００６】
一つの側面では、本発明は、所定のキーワードが含まれるメッセージが投稿された場合、特定の薬剤に関するメッセージを自動投稿するメッセージ表示プログラム、メッセージ表示方法、および情報処理装置を提供することを目的とする。
【課題を解決するための手段】
【０００７】
本発明の一側面によれば、特定のグループに属する複数のユーザのうちいずれかのユーザに対応する端末から投稿されたメッセージを表示した画面を生成して提供し、ユーザ識別情報に対応付けて、服用された特定の薬剤の情報を記憶部に記憶し、投稿されたメッセージの投稿元を示す識別情報が、前記記憶部に記憶された前記ユーザ識別情報に対応することを検出し、かつ、投稿された前記メッセージに所定のキーワードが含まれることを検出すると、前記特定の薬剤に関する所定のメッセージを前記複数のユーザに対応するそれぞれの端末にて表示可能な状態で投稿するメッセージ表示プログラム、メッセージ表示方法、および情報処理装置が提案される。
【発明の効果】
【０００８】
本発明の一態様によれば、所定のキーワードが含まれるメッセージが投稿された場合、特定の薬剤に関するメッセージを自動投稿することができるという効果を奏する。
【図面の簡単な説明】
【０００９】
【図１】図１は、実施の形態にかかるメッセージ表示方法の一実施例を示す説明図である。
【図２】図２は、システム２００のシステム構成例を示す説明図である。
【図３】図３は、情報処理装置１０１のハードウェア構成例を示すブロック図である。
【図４】図４は、端末Ｔｉのハードウェア構成例を示すブロック図である。
【図５】図５は、個人情報管理ＤＢ２２０の記憶内容の一例を示す説明図である。
【図６】図６は、ＳＮＳ情報ＤＢ２３０の記憶内容の一例を示す説明図である。
【図７】図７は、薬情報管理ＤＢ２４０の記憶内容の一例を示す説明図である。
【図８】図８は、ホーム画面Ｓ１の画面例を示す説明図である。
【図９】図９は、情報処理装置１０１の機能的構成例を示すブロック図である。
【図１０】図１０は、メッセージ表示の第１の表示例を示す説明図（その１）である。
【図１１】図１１は、メッセージ表示の第１の表示例を示す説明図（その２）である。
【図１２】図１２は、メッセージ表示の第１の表示例を示す説明図（その３）である。
【図１３】図１３は、メッセージ表示の第２の表示例を示す説明図である。
【図１４】図１４は、情報処理装置１０１のメッセージ表示処理手順の一例を示すフローチャートである。
【発明を実施するための形態】
【００１０】
以下に図面を参照して、本発明にかかるメッセージ表示プログラム、メッセージ表示方法、および情報処理装置の実施の形態を詳細に説明する。
【００１１】
（メッセージ表示方法の一実施例）
図１は、実施の形態にかかるメッセージ表示方法の一実施例を示す説明図である。図１において、情報処理装置１０１は、特定のサービスを提供し、端末１０２から投稿されたメッセージを表示した画面を生成して提供するコンピュータである。端末１０２は、特定のサービスを利用するユーザが使用するコンピュータであり、例えば、スマートフォン、タブレット型ＰＣ（Ｐｅｒｓｏｎａｌ  Ｃｏｍｐｕｔｅｒ）、ＰＣ、ノートＰＣなどである。
【００１２】
特定のサービスは、端末１０２に提供される情報処理であり、例えば、限られたメンバーだけでコミュニケーションをとることができるクローズドＳＮＳなどである。クローズドＳＮＳとしては、例えば、家族向けのＳＮＳ、親しい友人限定のＳＮＳ、ある会の会員限定のＳＮＳ、趣味や嗜好が同じ者が集まったサークル限定のＳＮＳなどがある。
【００１３】
ここで、スマートフォンなどにおいて、クローズドＳＮＳを利用中のメンバーが、体の不調を訴えることがある。ここで、体の不調とは、体が通常の状態と異なることである。例えば、体の不調には、熱がある、頭が痛いなどがある。この際、クローズドＳＮＳのメンバーは、体の不調を訴えたユーザに対して、適切な対処方法を提案したいと考える。例えば、体の不調を訴えたユーザが、子供や老人で、自己管理することが難しい場合、クローズドＳＮＳのメンバーは、どのような薬剤を服用したらよいか、病院に行った方がよいとの助言を行いたいと考える。
【００１４】
ところが、クローズドＳＮＳのメンバーは、他のメンバーが過去にどのような薬剤を服用したか、どの病院に行ったかを知っているとは限らない。また、知っていたとしても、記憶しているとは限らない。例え、クローズドＳＮＳのメンバーが家族であっても、遠く離れて暮らす家族のメンバーが、どのような薬剤を服用したか、どの病院に行っていたかを知っているとは限らない。このため、クローズドＳＮＳのメンバーは、体の不調を訴えたメンバーに適切な助言を行うことができない。
【００１５】
そこで、本実施の形態では、メンバーの一人の体の不調に対して対処方法を提案するメッセージ表示方法について説明する。以下、情報処理装置１０１のメッセージの表示例について説明する。ここでは、特定のサービスとして、「家族向けのＳＮＳ」を例に挙げて説明する。また、家族向けのＳＮＳのメンバーの一人が、「タロウ」である場合を想定する。
【００１６】
（１）情報処理装置１０１は、端末１０２からメッセージの投稿を受け付ける。メッセージの投稿とは、家族向けのＳＮＳのメンバーが、端末１０２の画面にメッセージを入力し、入力したメッセージを情報処理装置１０１が提供する家族向けのＳＮＳに送信することである。
【００１７】
ここで、端末１０２は、家族向けのＳＮＳに参加する家族のうちのタロウが使用する端末である。画面１１０は、家族が、メッセージを入力したり、画像をアップしたりして、家族同士で会話を行うことができる操作画面である。また、メッセージ領域１２１、１２２は、投稿されたメッセージを表示するための領域である。
【００１８】
図１の例では、メンバーの一人「タロウ」が、端末１０２に表示された画面１１０でメッセージ「喉が痛い、頭痛も少し」を入力して、情報処理装置１０１に投稿して、画面１１０のメッセージ領域１２１に投稿されたメッセージが表示された例である。
【００１９】
（２）情報処理装置１０１は、投稿されたメッセージの投稿元を示すユーザ識別情報が、記憶部１１１に記憶されたユーザ識別情報に対応し、投稿されたメッセージに所定のキーワードが含まれることを検出する。
【００２０】
ここで、記憶部１１１は、ユーザ識別情報、症状および薬剤のフィールドを有し、各フィールドに情報を設定することで、薬情報（例えば、薬情報１１１−１〜１１１−３）をレコードとして記憶する。
【００２１】
ユーザ識別情報は、家族の一員であるメンバーを一意に識別する識別子である。症状は、ユーザ識別情報で識別されるメンバーに表れた症状である。薬剤は、症状が表れたときに、ユーザ識別情報で識別されるメンバーが過去に服用した薬剤の名称である。
【００２２】
また、所定のキーワードとは、家族の一員であるメンバーの体の状態を特定することができるキーワードである。例えば、「熱がある」、「痛い」、「だるい」、「しんどい」等のメンバーの体に不調があることが分かるキーワードである。具体的には、所定のキーワードは、投稿されたメッセージの投稿元を示すユーザ識別情報に対応する、記憶部１１１に記憶される症状である。また、所定のキーワードは、記憶部１１１以外に記憶したキーワードであってもよい。
【００２３】
図１の例で、タロウのユーザ識別情報が「ｋｊｎ００１１」だったとする。この場合、情報処理装置１０１は、投稿されたメッセージの投稿元を示すユーザ識別情報「ｋｊｎ００１１」が、記憶部１１１に記憶されたユーザ識別情報に対応すると判断する。また、情報処理装置１０１は、投稿されたメッセージに、ユーザ識別情報が「ｋｊｎ００１１」に対応する症状の「頭痛」が含まれることを検出する。
【００２４】
（３）情報処理装置１０１は、特定の薬剤に関する所定のメッセージを投稿する。ここで、特定の薬剤とは、家族の一員であるメンバーが所定のキーワードに対応する状態のときに服用された薬剤である。例えば、特定の薬剤は、投稿されたメッセージの投稿元を示すユーザ識別情報に対応する、記憶部１１１に記憶される薬剤である。
【００２５】
図１の例で、情報処理装置１０１は、ユーザ識別情報「ｋｊｎ００１１」の症状「頭痛」に対応する薬剤「風邪薬Ａ」に関するメッセージ「風邪薬Ａを服用していたよ！」を投稿する。
【００２６】
このように、情報処理装置１０１によれば、メンバーの一人の体の不調に対して対処方法を提案することができる。図１の例では、情報処理装置１０１は、タロウが投稿したメッセージで示した頭痛に対して、風邪薬Ａを服用していたことを示すメッセージを投稿することで対処方法を提案することができる。これにより、タロウは、例えば、過去に風邪薬Ａを服用していたことを思い出し、頭痛に対して適切な対応を取ることができる。また、タロウ以外の家族のメンバーが、情報処理装置１０１が投稿したメッセージを読むことで、タロウを気づかって、タロウに風邪薬Ａを服用させることもできる。
【００２７】
また、メッセージ領域１２１、１２２には、メッセージの投稿元を示すため、メッセージの投稿元のアイコンを表示することができる。図１の例では、メッセージ領域１２１には、投稿元がタロウであることを示すため、タロウのアイコンが表示される。また、メッセージ領域１２２には、投稿元が情報処理装置１０１であることを示すため、ロボットのアイコンが表示される。
【００２８】
これにより、家族のメンバーでないロボットのアイコンが表示されることにより、情報処理装置１０１が投稿したメッセージに気づきやすくなり、家族のメンバーはメッセージを読み飛ばすことが減少する。また、アイコンはシステムが自動で投稿したことを示すものであれば、ロボットのアイコン以外も可能である。例えば、アイコンとして、ペットのキャラクタ等家族以外の写真を使用することも可能である。
【００２９】
（システム２００のシステム構成例）
つぎに、実施の形態にかかるシステム２００のシステム構成例について説明する。以下の説明では、メッセージの投稿を受け付けるサービスとして、「家族向けのクローズドＳＮＳ」を例に挙げて説明する。また、家族向けのクローズドＳＮＳを、単に「家族向けのＳＮＳ」と表記する場合がある。
【００３０】
図２は、システム２００のシステム構成例を示す説明図である。図２において、システム２００は、情報処理装置１０１と、端末Ｔ１〜Ｔｎと、を含む構成である（ｎは、２以上の自然数）。システム２００において、情報処理装置１０１および端末Ｔ１〜Ｔｎは、有線または無線のネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００３１】
ここで、情報処理装置１０１は、個人情報管理ＤＢ（データベース）２２０、ＳＮＳ情報ＤＢ２３０および薬情報管理ＤＢ２４０を有し、端末Ｔ１〜Ｔｎの情報処理を行う。情報処理装置１０１は、例えば、家族向けのＳＮＳのサービスを提供するサーバである。各種ＤＢ２２０，２３０，２４０の記憶内容については、図５〜図７を用いて後述する。ここで、薬情報管理ＤＢ２４０は、図１の記憶部１１１に対応する。
【００３２】
端末Ｔ１〜Ｔｎは、表示画面（例えば、後述する図４に示すディスプレイ４０６）を有し、情報処理装置１０１の情報処理に従って、各種画面を表示可能なコンピュータである。端末Ｔ１〜Ｔｎは、例えば、ユーザが使用するスマートフォン、タブレット型ＰＣ、ＰＣ、ノートＰＣなどである。
【００３３】
具体的には、例えば、情報処理装置１０１は、端末Ｔ１〜Ｔｎから各種メッセージを受信すると、各種画面（例えば、後述するホーム画面Ｓ１、家族の会話画面Ｓ２〜Ｓ５）の画面情報を生成して端末Ｔ１〜Ｔｎに送信する。この結果、端末Ｔ１〜Ｔｎの表示画面に各種画面が表示される。
【００３４】
以下の説明では、端末Ｔ１〜Ｔｎのうちの任意の端末を「端末Ｔｉ」と表記する場合がある（ｉ＝１，２，…，ｎ）。
【００３５】
（情報処理装置１０１のハードウェア構成例）
図３は、情報処理装置１０１のハードウェア構成例を示すブロック図である。図３において、情報処理装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００３６】
ここで、ＣＰＵ３０１は、情報処理装置１０１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００３７】
Ｉ／Ｆ３０３は、通信回線を通じてネットワーク２１０に接続され、ネットワーク２１０を介して他の装置（例えば、図２に示した端末Ｔｉ）に接続される。そして、Ｉ／Ｆ３０３は、ネットワーク２１０と内部のインターフェースを司り、他のコンピュータからのデータの入出力を制御する。Ｉ／Ｆ３０３には、例えば、モデムやＬＡＮアダプタなどを採用することができる。
【００３８】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００３９】
なお、情報処理装置１０１は、上述した構成部のほか、例えば、ＳＳＤ（Ｓｏｌｉｄ  Ｓｔａｔｅ  Ｄｒｉｖｅ）、キーボード、マウス、ディスプレイなどを有することにしてもよい。
【００４０】
（端末Ｔｉのハードウェア構成例）
図４は、端末Ｔｉのハードウェア構成例を示すブロック図である。図４において、端末Ｔｉは、ＣＰＵ４０１と、メモリ４０２と、ディスクドライブ４０３と、ディスク４０４と、Ｉ／Ｆ４０５と、ディスプレイ４０６と、入力装置４０７と、を有する。また、各構成部はバス４００によってそれぞれ接続される。
【００４１】
ここで、ＣＰＵ４０１は、端末Ｔｉの全体の制御を司る。メモリ４０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００４２】
ディスクドライブ４０３は、ＣＰＵ４０１の制御に従ってディスク４０４に対するデータのリード／ライトを制御する。ディスク４０４は、ディスクドライブ４０３の制御で書き込まれたデータを記憶する。ディスク４０４としては、例えば、磁気ディスク、光ディスクなどが挙げられる。
【００４３】
Ｉ／Ｆ４０５は、通信回線を通じてネットワーク２１０に接続され、ネットワーク２１０を介して他の装置（例えば、図２に示した情報処理装置１０１）に接続される。そして、Ｉ／Ｆ４０５は、ネットワーク２１０と内部のインターフェースを司り、他のコンピュータからのデータの入出力を制御する。
【００４４】
ディスプレイ４０６は、カーソル、アイコンあるいはツールボックスをはじめ、文書、画像、機能情報などのデータを表示する。ディスプレイ４０６は、例えば、液晶ディスプレイ、有機ＥＬ（Ｅｌｅｃｔｒｏｌｕｍｉｎｅｓｃｅｎｃｅ）ディスプレイ、ＣＲＴ（Ｃａｔｈｏｄｅ  Ｒａｙ  Ｔｕｂｅ）などを採用することができる。
【００４５】
入力装置４０７は、文字、数字、各種指示などの入力のためのキーを有し、データの入力を行う。入力装置４０７は、キーボードやマウスなどであってもよく、また、タッチパネル式の入力パッドやテンキーなどであってもよい。
【００４６】
なお、端末Ｔｉは、上述した構成部のうち、例えば、ディスクドライブ４０３、ディスク４０４などを有さないことにしてもよい。また、端末Ｔｉは、上述した構成部のほか、例えば、ＳＳＤ、スキャナ、プリンタなどを有することにしてもよい。
【００４７】
（各種ＤＢ２２０，２３０，２４０の記憶内容）
つぎに、図５〜図７を用いて各種ＤＢ２２０，２３０，２４０の記憶内容について説明する。各種ＤＢ２２０，２３０，２４０は、例えば、図３に示した情報処理装置１０１のメモリ３０２、ディスク３０５により実現される。
【００４８】
＜個人情報管理ＤＢ２２０の記憶内容＞
図５は、個人情報管理ＤＢ２２０の記憶内容の一例を示す説明図である。図５において、個人情報管理ＤＢ２２０は、家族ＩＤ、個人ＩＤ、名前、ニックネームおよび顔写真のフィールドを有し、各フィールドに情報を設定することで、個人情報（例えば、個人情報５００−１〜５００−５）をレコードとして記憶する。
【００４９】
ここで、家族ＩＤは、家族向けのＳＮＳを利用する家族を一意に識別する識別子である。個人ＩＤは、家族ＩＤにより識別される家族の一員であるメンバーを一意に識別する識別子である。名前は、個人ＩＤにより識別されるメンバーの名前である。ニックネームは、メンバーのニックネームである。顔写真は、メンバーの顔写真の画像データである。
【００５０】
なお、図示は省略するが、個人情報管理ＤＢ２２０には、個人ＩＤと対応付けて、例えば、メンバーの性別、年齢、誕生日、住所、パスワード、欲しい物などが登録される。
【００５１】
＜ＳＮＳ情報ＤＢ２３０の記憶内容＞
図６は、ＳＮＳ情報ＤＢ２３０の記憶内容の一例を示す説明図である。図６において、ＳＮＳ情報ＤＢ２３０は、家族ＩＤ、個人ＩＤ、書き込み日時、書き込み内容（テキスト）および書き込み内容（画像）のフィールドを有し、各フィールドに情報を設定することで、ＳＮＳ情報（例えば、ＳＮＳ情報６００−１，６００−２）をレコードとして記憶する。
【００５２】
ここで、家族ＩＤは、家族向けのＳＮＳを利用する家族を一意に識別する識別子である。個人ＩＤは、家族ＩＤにより識別される家族の一員であるメンバーを一意に識別する識別子である。書き込み日時は、個人ＩＤにより識別されるメンバーが家族向けのＳＮＳに情報を書き込んだ日時である。書き込み内容（テキスト）は、メンバーが書き込んだ本文である。書き込み内容（画像）は、メンバーがアップした写真または動画である。
【００５３】
＜薬情報管理ＤＢ２４０の記憶内容＞
図７は、薬情報管理ＤＢ２４０の記憶内容の一例を示す説明図である。図７において、薬情報管理ＤＢ２４０は、登録日、個人ＩＤ、病名、症状、薬剤、病院名および診療科のフィールドを有し、各フィールドに情報を設定することで、薬情報（例えば、薬情報７００−１〜７００−３）をレコードとして記憶する。
【００５４】
ここで、登録日は、当該レコードを登録した日である。また、当該レコードを登録した日は、登録された薬剤を使用した日でもある。個人ＩＤは、家族の一員であるメンバーを一意に識別する識別子である。病名は、個人ＩＤで識別されるメンバーが罹った病気の名称である。症状は、病名の病気に罹ったときに表れる症状である。薬剤は、病名の病気に罹ったときに、個人ＩＤで識別されるメンバーが過去に服用した薬剤の名称である。また、薬剤は、名称だけではなく薬の処方箋であってもよい。さらに、薬剤は、お薬手帳の画像、薬の画像であってもよい。この場合、画像より文字情報を読み込み、文字情報として管理する。病院名は、病名の病気に罹ったときに行った病院の名称である。診療科は、病名の病気に罹ったときに行った病院における医療の分野のことである。
【００５５】
（ホーム画面Ｓ１の画面例）
つぎに、端末Ｔｉのディスプレイ４０６に表示されるホーム画面Ｓ１の画面例について説明する。ここでは、個人ＩＤ「Ｐ３」により識別されるメンバー（ニックネーム：タロウ）の端末Ｔｉのディスプレイ４０６に表示されるホーム画面Ｓ１を例に挙げて説明する。
【００５６】
図８は、ホーム画面Ｓ１の画面例を示す説明図である。図８において、ホーム画面Ｓ１は、家族向けのＳＮＳにログインした場合に、端末Ｔｉのディスプレイ４０６に表示される操作画面である。以下の説明において、操作画面に表示されているボタン等をユーザが選択する操作としてタップ操作を行う場合を例に挙げて説明する。
【００５７】
例えば、ホーム画面Ｓ１において、図４に示した入力装置４０７を用いたユーザの操作入力により、ボタンＢ１をタップすると、あいさつ画面（不図示）に操作画面を切り替えることができる。あいさつ画面は、家族（図８の例では、「富士家」）の一員である各メンバーが、毎日のあいさつを入力することができる操作画面である。
【００５８】
また、ホーム画面Ｓ１において、ユーザの操作入力により、ボタンＢ２をタップすると、会話画面（例えば、後述の図１０〜図１３に示す家族の会話画面Ｓ２〜Ｓ５）に操作画面を切り替えることができる。会話画面は、富士家の一員である各メンバーが、メッセージを入力したり、画像をアップしたりして、メンバー同士で会話を行うことができる操作画面である。
【００５９】
なお、会話画面において、例えば、メッセージが入力されたり、画像がアップされたりすると、ＳＮＳ情報ＤＢ２３０の記憶内容が更新される。
【００６０】
また、ホーム画面Ｓ１において、ユーザの操作入力により、ボタンＢ３をタップすると、行事画面（不図示）に操作画面を切り替えることができる。行事画面は、富士家の一員である各メンバーが、家族に関連するイベント（行事）を登録することができる操作画面である。
【００６１】
また、ホーム画面Ｓ１において、ユーザの操作入力により、ボタンＢ４をタップすると、家族情報画面（不図示）に操作画面を切り替えることができる。家族情報画面は、富士家の一員である各メンバーの情報（例えば、年齢、誕生日、住所、欲しい物など）を閲覧したり、変更したりすることができる操作画面である。
【００６２】
また、ホーム画面Ｓ１において、ユーザの操作入力により、ボタンＢ５をタップすると、お問合せ画面（不図示）に操作画面を切り替えることができる。お問合せ画面は、システム２００の管理者に対して、家族向けのＳＮＳについての意見、要望、質問等の問い合わせを行うことができる操作画面である。
【００６３】
また、ホーム画面Ｓ１において、ユーザの操作入力により、ボタンＢ６をタップすると、顔写真・ニックネーム変更画面（不図示）に操作画面を切り替えることができる。顔写真・ニックネーム変更画面は、富士家の一員である各メンバーの顔写真やニックネームを変更することができる操作画面である。
【００６４】
なお、顔写真・ニックネーム変更画面において、例えば、メンバーの顔写真やニックネームが変更されると、個人情報管理ＤＢ２２０の記憶内容が更新される。
【００６５】
また、ホーム画面Ｓ１において、ユーザの操作入力により、ボタンＢ７をタップすると、パスワード変更画面（不図示）に操作画面を切り替えることができる。パスワード変更画面は、富士家の一員である各メンバーのパスワードを変更することができる操作画面である。
【００６６】
なお、家族向けのＳＮＳにログインするためのログイン処理は、例えば、個人ＩＤおよびパスワードを用いて行われる。具体的には、例えば、まず、情報処理装置１０１は、端末Ｔｉから認証情報を受信する。認証情報は、例えば、端末Ｔｉのログイン画面（不図示）において入力される個人ＩＤ、パスワードなどを含む。
【００６７】
つぎに、情報処理装置１０１は、受信した認証情報に基づいて、端末Ｔｉのユーザを認証する。より詳細に説明すると、例えば、情報処理装置１０１は、個人情報管理ＤＢ２２０等を参照して、認証情報に含まれる個人ＩＤに対応するパスワードを特定する。そして、情報処理装置１０１は、特定したパスワードと、認証情報に含まれるパスワードとを照合する。
【００６８】
そして、情報処理装置１０１は、パスワードが一致する場合に、端末Ｔｉのユーザを認証する（認証ＯＫ）。一方、情報処理装置１０１は、パスワードが不一致の場合は、端末Ｔｉのユーザを認証しない（認証ＮＧ）。また、情報処理装置１０１は、認証情報に含まれる個人ＩＤに対応するパスワードを特定できなかった場合も、端末Ｔｉのユーザを認証しない（認証ＮＧ）。
【００６９】
（情報処理装置１０１の機能的構成例）
図９は、情報処理装置１０１の機能的構成例を示すブロック図である。図９において、情報処理装置１０１は、受付部９０１と、検出部９０２と、投稿部９０３と、を含む構成である。受付部９０１〜投稿部９０３は制御部となる機能であり、具体的には、例えば、図３に示したメモリ３０２、ディスク３０５などの記憶装置に記憶されたプログラムをＣＰＵ３０１に実行させることにより、または、Ｉ／Ｆ３０３により、その機能を実現する。各機能部の処理結果は、例えば、メモリ３０２、ディスク３０５などの記憶装置に記憶される。
【００７０】
受付部９０１は、家族向けのＳＮＳに参加する複数のメンバーのうちのいずれかのメンバーの端末Ｔｉから、家族向けのＳＮＳについてのメッセージの投稿を受け付ける。ここで、家族向けのＳＮＳに参加する複数のメンバーは、家族向けのＳＮＳを利用する家族の一員である複数のメンバーである。
【００７１】
例えば、図８に示したホーム画面Ｓ１において、ボタンＢ２がタップされたとすると、端末Ｔｉのディスプレイ４０６の表示は、家族の会話画面（例えば、後述の図１０に示す家族の会話画面Ｓ２）に切り替わる。受付部９０１は、家族の会話画面からメッセージの投稿を受け付ける。
【００７２】
また、受付部９０１は、受け付けたメッセージをＳＮＳ情報ＤＢ２３０に格納する。一例として、ログイン者をメンバーＰ３とすると、受付部９０１は、メンバーＰ３の家族ＩＤ「Ｆ１」および個人ＩＤ「Ｐ３」を格納して、メッセージの受付時間を書き込み日時に格納して、メッセージの内容を書き込み内容（テキスト）に格納する。
【００７３】
検出部９０２は、受付部９０１が受け付けたメッセージの投稿者の個人ＩＤのレコードを薬情報管理ＤＢ２４０から検出する。一例として、メッセージの投稿者をメンバーＰ３とすると、検出部９０２は、メッセージの投稿者の個人ＩＤ「Ｐ３」のレコード７００−１と７００−３を検出する。
【００７４】
また、検出部９０２は、受付部９０１が受け付けたメッセージの中に所定のキーワードが存在するか否かを判断する。ここで、所定のキーワードとは、特定の薬剤が処方されるべき症状である。例えば、所定のキーワードは、検出部９０２が検出したレコードの症状のフィールドに含まれるキーワードとすることができる。また、所定のキーワードは、症状の一覧をまとめたＤＢに含まれるキーワードとすることもできる。
【００７５】
一例として、検出部９０２が、メッセージの投稿者のメンバーＰ３から、「喉が痛いな．．．  頭痛も少し．．．」のメッセージを受け付けたとする。この場合、レコード７００−１の症状に「頭痛」が含まれる。このため、検出部９０２は、メッセージの中に所定のキーワード「頭痛」が存在すると判断する。
【００７６】
また、検出部９０２は、薬情報管理ＤＢ２４０からレコードを検出する際、登録日が所定の条件を満足するレコードを検出することができる。例えば、検出部９０２は、レコードの登録日が、受付部９０１が受け付けたメッセージの投稿日から所定の期間内であるレコードを検出することができる。所定の期間は、任意に設定可能である。例えば、２年とすることができる。
【００７７】
また、検出部９０２は、薬情報管理ＤＢ２４０からレコードを検出する際、レコードの登録日と、受付部９０１が受け付けたメッセージの投稿日とが同一の時期のレコードを検出することができる。ここで、時期とは、１年のある区切られた期間のことである。具体的に、時期は、季節による春夏秋冬がある。例えば、受付部９０１が受け付けたメッセージの投稿日が冬である場合、検出部９０２は、レコードの登録日が冬であるレコードを検出する。同一の時期の他の例として、同一の月、同一の週がある。
【００７８】
投稿部９０３は、検出部９０２が、受け付けたメッセージの中に所定のキーワードが存在すると判断した場合、注意喚起のためのメッセージを投稿する。例えば、投稿部９０３は、特定の薬剤を過去に服用した履歴がある旨を示すメッセージを投稿する。具体的には、投稿部９０３は、所定のキーワードが症状のフィールドに存在するレコードの登録日と薬剤の情報を含むメッセージを投稿する。また、例えば、投稿部９０３は、特定の薬剤を処方した病院の名称をさらに含むメッセージを投稿する。具体的には、投稿部９０３は、所定のキーワードが症状のフィールドに存在するレコードの病院名および診療科をさらに含むメッセージを投稿する。
【００７９】
一例として、メッセージの中に所定のキーワード「頭痛」が存在する場合、投稿部９０３は、所定のキーワード「頭痛」が存在するレコード７００−１の登録日「２０１４．０１．０１」と薬剤「風邪薬Ａ」を含むメッセージを投稿する。
【００８０】
また、投稿部９０３は、メッセージが家族の一員であるメンバー以外から投稿されたことが分かる形態で投稿することができる。例えば、投稿部９０３は、メッセージに付与されるアイコンを家族のメンバーのアイコン以外のアイコンにしてメッセージを投稿する。
【００８１】
（端末Ｔｉに表示されるメッセージ表示の表示例）
つぎに、端末Ｔｉのディスプレイ４０６に表示されるメッセージ表示画像の表示例について説明する。まず、図１０〜図１３を用いて、メッセージを受け付けてから情報処理装置１０１がメッセージを表示する例について説明する。
【００８２】
＜第１の表示例＞
図１０〜図１２は、メッセージ表示の第１の表示例を示す説明図である。図１０の家族の会話画面Ｓ２は、ホーム画面Ｓ１において、メンバーＰ３（ニックネーム：タロウ）の操作入力により、ボタンＢ２がタップされることで表示される。
【００８３】
ここで、家族の会話画面Ｓ２は、顔写真１０１１と、アイコン１０１２と、メッセージ領域１０１３と、「新しいメッセージを書く」ボタン１０１４と、を含む。顔写真１０１１は、情報処理装置１０１にログインした家族のメンバーの写真を表示する。例えば、ログインした家族のメンバーの個人ＩＤに対応する個人情報管理ＤＢ２２０のレコードの顔写真を表示する。一例として、メンバーＰ３がログインした場合、個人情報管理ＤＢ２２０のレコード５００−３の顔写真「ｋｊｎ００１３．ｊｐｇ」が顔写真１０１１に表示される。
【００８４】
アイコン１０１２は、メッセージを投稿した家族のメンバーのアイコンを表示する。例えば、アイコン１０１２は、情報処理装置１０１にログインした家族のメンバーの写真を縮小して表示することができる。また、ログインした家族のメンバーのアイコンを、例えば、個人情報管理ＤＢ２２０に登録して、アイコン１０１２は、登録したアイコンを表示することもできる。
【００８５】
メッセージ領域１０１３は、家族のメンバーが投稿したメッセージを表示する。「新しいメッセージを書く」ボタン１０１４は、メッセージを投稿するためのボタンである。例えば、ログイン者が「新しいメッセージを書く」ボタン１０１４をタップすると、メッセージ入力画面（不図示）に切り替えることができる。ログイン者は、メッセージ入力画面でメッセージを入力して、投稿する。これにより、アイコン１０１２に、メッセージを投稿した家族のメンバーのアイコンが表示され、メッセージ領域１０１３に、投稿されたメッセージが表示される。
【００８６】
図１０の家族の会話画面Ｓ２は、ログイン者の「タロウ」がメッセージを投稿した例である。顔写真１０１１に、ログイン者の「タロウ」の顔写真が表示され、投稿者の「タロウ」がアイコン１０１２に表示されるとともに、メッセージ領域１０１３に、タロウが投稿した「喉が痛いな．．．  頭痛も少し．．．」のメッセージが表示される。
【００８７】
図１１の家族の会話画面Ｓ３は、タロウが投稿したメッセージを受け付けた情報処理装置１０１がメッセージを投稿した例である。アイコン１１１２に投稿者がシステムであることを示すため、ロボットのアイコンが表示される。メッセージ領域１１１３に、注意喚起のためのメッセージ「２０１４年１月１日も「風邪」で「風邪薬Ａ」を服用していたよ！  気をつけてね」が表示される。
【００８８】
図１２の家族の会話画面Ｓ４は、タロウが投稿したメッセージを見た家族のメンバーＰ４（ニックネーム：ばあちゃん）がメッセージを投稿した例である。顔写真１２１１に、ログイン者の「ばあちゃん」の顔写真が表示され、アイコン１２１２に、メッセージの投稿者「ばあちゃん」のアイコンが表示される。メッセージ領域１２１３に、タロウを気づかうメッセージ「タロウは、大丈夫かい？」が表示される。
【００８９】
＜第２の表示例＞
図１３は、メッセージ表示の第２の表示例を示す説明図である。図１３の家族の会話画面Ｓ５は、ホーム画面Ｓ１において、メンバーＰ３（ニックネーム：タロウ）の操作入力により、ボタンＢ２がタップされることで表示される。
【００９０】
図１３の家族の会話画面Ｓ５は、ログイン者の「タロウ」がメッセージを投稿し、タロウが投稿したメッセージを受け付けた情報処理装置１０１がメッセージを投稿した他の例である。顔写真１３１１に、ログイン者の「タロウ」の顔写真が表示され、投稿者の「タロウ」がアイコン１３１２に表示されるとともに、メッセージ領域１３１３に、タロウが投稿した「喉が痛いな．．．  頭痛も少し．．．」のメッセージが表示される。また、アイコン１３１４に、ロボットのアイコンが表示される。また、メッセージ領域１３１５に、注意喚起のためのメッセージ「２０１４年１月１日も「風邪」で「○○病院」にかかっていたよ！  気をつけてね  ＵＲＬ：／／ｗｗｗ．ｍａｒｉｍａｒｕ．ｃｏｍ」が表示される。ここで、ＵＲＬは、○○病院のホームページのＵＲＬである。また、情報処理装置１０１は、○○病院の地図のＵＲＬを表示してもよい。
【００９１】
このように、家族の会話画面Ｓ２、Ｓ３によれば、家族のメンバーのメッセージの投稿に対して、情報処理装置１０１がメッセージを投稿することにより、投稿者に、過去に服用した薬剤の情報を提供することで、注意喚起を促すことができる。また、家族の会話画面Ｓ４によれば、家族のメンバーのメッセージの投稿に対して、他の家族がメッセージを投稿することにより、他の家族が投稿者を気づかうことができる。また、家族の会話画面Ｓ５によれば、情報処理装置１０１がメッセージを投稿することにより、投稿者に、過去に掛かったことのある病院名を提供することで、注意喚起を促すことができる。
【００９２】
（表示制御装置１０１のメッセージ表示処理手順）
つぎに、情報処理装置１０１のメッセージ表示処理手順について説明する。
【００９３】
図１４は、情報処理装置１０１のメッセージ表示処理手順の一例を示すフローチャートである。図１４のフローチャートにおいて、まず、情報処理装置１０１は、家族向けのＳＮＳに参加する複数のメンバーのうちのいずれかのメンバーの端末Ｔｉから、家族向けのＳＮＳについて、メッセージの投稿を受け付けたか否かを判断する（ステップＳ１４０１）。
【００９４】
ここで、情報処理装置１０１は、メッセージの投稿を受け付けるのを待つ（ステップＳ１４０１：Ｎｏ）。そして、情報処理装置１０１は、メッセージの投稿を受け付けた場合（ステップＳ１４０１：Ｙｅｓ）、受け付けたメッセージをＳＮＳ情報ＤＢ２３０に格納する（ステップＳ１４０２）。
【００９５】
例えば、情報処理装置１０１は、メッセージを投稿した投稿者のＩＤを個人ＩＤのフィールドに格納し、投稿者の家族ＩＤを家族ＩＤのフィールドに格納する。ここで、投稿者の家族ＩＤは、例えば、個人情報管理ＤＢ２２０を参照することにより、個人ＩＤから検出することができる。また、情報処理装置１０１は、メッセージの受付時間を書き込み日時のフィールドに格納して、メッセージの内容を書き込み内容（テキスト）のフィールドに格納する。
【００９６】
つぎに、情報処理装置１０１は、投稿者の個人ＩＤのレコードが薬情報管理ＤＢ２４０に存在するか否かを判断する（ステップＳ１４０３）。薬情報管理ＤＢ２４０は、投稿者が過去に服用した薬剤を判断するための情報である。ここで、投稿者の個人ＩＤのレコードが薬情報管理ＤＢ２４０に存在しない場合（ステップＳ１４０３：Ｎｏ）、情報処理装置１０１の処理は、終了する。この場合、投稿者が過去に薬剤を服用していないため、注意喚起のメッセージを投稿することが不要なためである。
【００９７】
一方、投稿者の個人ＩＤのレコードが薬情報管理ＤＢ２４０に存在する場合（ステップＳ１４０３：Ｙｅｓ）、情報処理装置１０１は、検索されたレコードの登録日が所定の条件を満足するか否かを判断する（ステップＳ１４０４）。所定の条件には、期間または時期がある。ここで、検索されたレコードの登録日が所定の条件を満足しない場合（ステップＳ１４０４：Ｎｏ）、情報処理装置１０１の処理は、終了する。
【００９８】
この場合、例えば、レコードの登録日が、メッセージを受け付けた日より、所定の期間内でない場合、情報が古く、注意喚起のメッセージに使用することができないためである。また、例えば、レコードの登録日とメッセージの登録日とが、同一の時期でない場合、風邪等の流行時期が異なるため、注意喚起のメッセージに使用することができないためである。
【００９９】
一方、検索されたレコードの登録日が所定の条件を満足する場合（ステップＳ１４０４：Ｙｅｓ）、情報処理装置１０１は、投稿されたメッセージに、検索されたレコードの症状が存在するか否かを判断する（ステップＳ１４０５）。これは、投稿されたメッセージにレコードの症状が存在する場合、当該レコードの薬剤や病院名が有効なためである。ここで、検索されたレコードの症状が存在しない場合（ステップＳ１４０５：Ｎｏ）、情報処理装置１０１の処理は、終了する。
【０１００】
一方、検索されたレコードの症状が存在する場合（ステップＳ１４０５：Ｙｅｓ）、情報処理装置１０１は、注意喚起のメッセージを投稿する（ステップＳ１４０６）。ここで、情報処理装置１０１は、メッセージに検索されたレコードの薬剤を入れることができる。さらに情報処理装置１０１は、メッセージに検索されたレコードの病院名や診療科を入れることができる。また、情報処理装置１０１は、メッセージに家族のメンバーのアイコン以外のアイコンを付与することができる。
【０１０１】
これにより、情報処理装置１０１は、家族のメンバーが投稿したメッセージに応じた注意喚起メッセージを投稿することができる。
【０１０２】
以上説明したように、実施の形態にかかる情報処理装置１０１によれば、個人ＩＤに対応付けて、服用された特定の薬剤の情報を記憶し、家族向けのＳＮＳに参加するメンバーの端末Ｔｉから、家族向けのＳＮＳに投稿されたメッセージを受け付けることができる。そして、情報処理装置１０１によれば、投稿されたメッセージの投稿元を示す個人ＩＤが、薬情報管理ＤＢ２４０に記憶された個人ＩＤに対応することを検出し、かつ、投稿されたメッセージに所定のキーワードが含まれることを検出する。この場合、情報処理装置１０１によれば、特定の薬剤に関する所定のメッセージを投稿することができる。
【０１０３】
これにより、家族のメンバーの一人の体の不調に対して対処方法を提案することができる。例えば、情報処理装置１０１は、タロウが投稿したメッセージで示した頭痛に対して、風邪薬Ａを服用していたことを示すメッセージを投稿することで対処方法を提案することができる。このように、家族のメンバーは、家族のメンバーが服用した薬を自分で調べなくてもよくなる。さらに、タロウは、例えば、過去に風邪薬Ａを服用していたことを思い出し、頭痛に対して適切な対応を取ることができる。また、タロウ以外の家族のメンバーが、情報処理装置１０１が投稿したメッセージを読むことで、タロウを気づかって、タロウに風邪薬Ａを服用させることができる。
【０１０４】
また、情報処理装置１０１に対して、端末Ｔｉは、いろんな場所でメッセージを投稿し、過去のメッセージの履歴を参照することが可能である。このため、例えば、旅先等で、かかりつけの医者に行くことができない場合でも、情報処理装置１０１により、家族のメンバーは、医者に対して、今まで服用した薬や掛かった医者等を説明することができる。
【０１０５】
また、情報処理装置１０１によれば、所定のキーワードは、特定の薬剤が処方されるべき症状を示すことができる。
【０１０６】
これにより、情報処理装置１０１は、症状に対応する適切な薬剤に関するメッセージを投稿することができる。このため、メッセージを読んだ投稿者は、症状に対応する適切な薬剤を服用することができる。
【０１０７】
また、情報処理装置１０１によれば、所定のメッセージは、特定の薬剤を過去に服用した履歴がある旨を示す情報であることができる。
【０１０８】
これにより、情報処理装置１０１は、メッセージの投稿者および家族のメンバーに過去に同じ症状であるときに服用した特定の薬剤を思い出させることができる。このため、メッセージを読んだ投稿者は、症状に対応する適切な薬剤を服用することができる。また、家族のメンバーが読んだ場合、メッセージの投稿者に症状に対応する薬剤を処方することができる。自分で服用する薬剤を判断できない、子供や老人に効果がある。
【０１０９】
また、情報処理装置１０１によれば、所定のメッセージは、特定の薬剤を処方した病院の名称を含むことができる。
【０１１０】
これにより、情報処理装置１０１は、メッセージの投稿者および家族のメンバーに過去に同じ症状であるときに掛かった病院を思い出させることができる。このため、メッセージを読んだ投稿者は、症状に対応する病院に行くことができる。例えば、家族のメンバーが読んだ場合、メッセージの投稿者を症状に対応する病院に行かせることができる。自分で行くべき病院を判断できない、子供や老人に特に効果的である。
【０１１１】
また、情報処理装置１０１は、投稿するメッセージに病院のホームページのＵＲＬや病院の地図のＵＲＬをさらに含ませることができる。これにより、メッセージの投稿者が、病院の位置を記憶していなくても、家族のメンバーはメッセージの投稿者を今まで掛かった病院に連れて行くことができる。
【０１１２】
また、所定のメッセージに特定の薬剤を過去に服用した履歴がある旨を示す情報および特定の薬剤を処方した病院の名称を含むことで、家族間で、服用した薬の情報や掛かった病院名を共有し、家族みんなで健康維持管理することができる。
【０１１３】
また、情報処理装置１０１によれば、個人ＩＤにより識別されるユーザが特定の薬剤を服用した服用日が、メッセージの投稿日から所定の期間内であることを、さらに検出すると、所定のメッセージを投稿することができる。
【０１１４】
これにより、情報処理装置１０１は、情報が古すぎて、メッセージの投稿者に知らせる価値のない薬剤に関する情報を投稿しなくてもよくなる。
【０１１５】
また、情報処理装置１０１によれば、個人ＩＤにより識別されるユーザが特定の薬剤を服用した服用日と、メッセージの投稿日とが、同一の時期にあることを、さらに検出すると、前記所定のメッセージを投稿することができる。
【０１１６】
これにより、情報処理装置１０１は、時期が一致せず、メッセージの投稿者に知らせる価値のない薬剤に関する情報を投稿しなくてもよくなる。このため、情報処理装置１０１は、同一の時期に起こる可能性のあることをメッセージの投稿者に注意喚起することができる。例えば、情報処理装置１０１は、去年、同一の時期に風邪を引いたから、今年も風邪を引く可能性があることをメッセージの投稿者に注意喚起することができる。
【０１１７】
なお、本実施の形態で説明したメッセージ表示方法は、予め用意されたプログラムをパーソナル・コンピュータやワークステーション等のコンピュータで実行することにより実現することができる。本メッセージ表示プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本メッセージ表示プログラムは、インターネット等のネットワークを介して配布してもよい。
【０１１８】
上述した実施の形態に関し、さらに以下の付記を開示する。
【０１１９】
（付記１）投稿されたメッセージを表示した画面を生成して提供するコンピュータに、
ユーザ識別情報に対応付けて、服用された特定の薬剤の情報を記憶部に記憶し、
投稿されたメッセージの投稿元を示す識別情報が、前記記憶部に記憶された前記ユーザ識別情報に対応することを検出し、かつ、投稿された前記メッセージに所定のキーワードが含まれることを検出すると、前記特定の薬剤に関する所定のメッセージを投稿する、
処理を実行させることを特徴とするメッセージ表示プログラム。
【０１２０】
（付記２）前記所定のキーワードは、前記特定の薬剤が処方されるべき症状を示すことを特徴とする付記１に記載のメッセージ表示プログラム。
【０１２１】
（付記３）前記所定のメッセージは、前記特定の薬剤を過去に服用した履歴がある旨を示す情報であることを特徴とする付記１または２に記載のメッセージ表示プログラム。
【０１２２】
（付記４）前記所定のメッセージは、前記特定の薬剤を処方した病院の名称を含むことを特徴とする付記１〜３のいずれか一つに記載のメッセージ表示プログラム。
【０１２３】
（付記５）前記投稿する処理は、前記ユーザ識別情報により識別されるユーザが前記特定の薬剤を服用した服用日が、前記メッセージの投稿日から所定の期間内であることを、さらに検出すると、前記所定のメッセージを投稿する、
ことを特徴とする付記１〜４のいずれか一つに記載のメッセージ表示プログラム。
【０１２４】
（付記６）前記投稿する処理は、前記ユーザ識別情報により識別されるユーザが前記特定の薬剤を服用した服用日と、前記メッセージの投稿日とが、同一の時期にあることを、さらに検出すると、前記所定のメッセージを投稿する、
ことを特徴とする付記１〜４のいずれか一つに記載のメッセージ表示プログラム。
【０１２５】
（付記７）投稿されたメッセージを表示した画面を生成して提供するコンピュータが、
ユーザ識別情報に対応付けて、服用された特定の薬剤の情報を記憶部に記憶し、
投稿されたメッセージの投稿元を示す識別情報が、前記記憶部に記憶された前記ユーザ識別情報に対応することを検出し、かつ、投稿された前記メッセージに所定のキーワードが含まれることを検出すると、前記特定の薬剤に関する所定のメッセージを投稿する、
処理を実行することを特徴とするメッセージ表示方法。
【０１２６】
（付記８）投稿されたメッセージを表示した画面を生成して提供する情報処理装置において、
ユーザ識別情報に対応付けて、服用された特定の薬剤の情報を記憶部に記憶し、
投稿されたメッセージの投稿元を示す識別情報が、前記記憶部に記憶された前記ユーザ識別情報に対応することを検出し、かつ、投稿された前記メッセージに所定のキーワードが含まれることを検出すると、前記特定の薬剤に関する所定のメッセージを投稿する、
制御部を有することを特徴とする情報処理装置。
【符号の説明】
【０１２７】
１０１  情報処理装置
１０２，Ｔ１〜Ｔｎ，Ｔｉ  端末
２００  システム
２２０  個人情報管理ＤＢ
２３０  ＳＮＳ情報ＤＢ
２４０  薬情報管理ＤＢ
９０１  受付部
９０２  検出部
９０３  投稿部
Ｓ１  ホーム画面
Ｓ２〜Ｓ５  家族の会話画面
【図１】
0006540118.tif 000002
【図２】
0006540118.tif 000003
【図３】
0006540118.tif 000004
【図４】
0006540118.tif 000005
【図５】
0006540118.tif 000006
【図６】
0006540118.tif 000007
【図７】
0006540118.tif 000008
【図８】
0006540118.tif 000009
【図９】
0006540118.tif 000010
【図１０】
0006540118.tif 000011
【図１１】
0006540118.tif 000012
【図１２】
0006540118.tif 000013
【図１３】
0006540118.tif 000014
【図１４】
0006540118.tif 000015